(57)【要約】【課題】シート回転機構の方向転換時、回転操作力を軽減できて円滑な回転性を確保し、また、そのシート回転機構のロック時、上下方向にも横方向にもガタ付きを防止する。【解決手段】円弧状パッド・ボディ１１およびそのパッド・ボディ１１の下端に一体的に連続されてそのパッド・ボディ１１のパッド面１３上に折り返されるＵ字形フランジかみ付き曲り１２から全体的に断面Ｊ字形に成形され、そのパッド・ボディ１１が、そのパッド面１３の両側にテーパー付けで肉取りされて作られる左右のフランジ逃げ面１６、１６と、裏面１４の両側に突き出される左右のフランジ当り１７、１７と、上端１５に突き出されるトップ・フランジ当り１８と、その上端１５から下方に適宜に位置され、左右方向に伸び、そのパッド面１３からその裏面１４に通して穴明けされて肉抜きするスロット１９とを備え、そして、ばね性がそのパッド面１３に直交する方向にも上下方向にも付与される。【選択図】図３
2005067330.tif 000002
【特許請求の範囲】
【請求項１】
円弧状パッド・ボディおよびそのパッド・ボディの下端に一体的に連続されてそのパッド・ボディのパッド面上に折り返されるＵ字形フランジかみ付き曲りから全体的に断面Ｊ字形に成形され、そのパッド・ボディが、そのパッド面の両側にテーパー付けで肉取りされて作られる左右のフランジ逃げ面と、裏面の両側に突き出される左右のフランジ当りと、上端に突き出されるトップ・フランジ当りと、その上端から下方に適宜に位置され、左右方向に伸び、そのパッド面からその裏面に通して穴明けされて肉抜きするスロットとを備え、そして、ばね性がそのパッド面に直交する方向にも上下方向にも付与されるところのシート回転機構に用いる樹脂スライダー。
【請求項２】
そのフランジかみ付き曲りが、内側面に左右のフランジかみ付き歯を突き出す請求項１に記載のシート回転機構に用いる樹脂スライダー。
【発明の詳細な説明】
【技術分野】
【０００１】
この発明は、乗り物シート、特に、自動車シートのシート回転機構に用いる樹脂スライダーに関する。
【背景技術】
【０００２】
自動車シートは、方向転換にシート回転機構を用いる。そのシート回転機構は、固定フレームがシート・ライザー上に固定的に支持され、そして、回転フレームが組付けプレートを用いてその固定フレーム上に多数のステール・ボールを挟み、さらに、その固定フレームとその組付けプレートとの間に複数の樹脂スライダーを挟んでその固定フレームに回転可能に支持され、そして、ロック時、その固定フレームに対するその回転フレームのがた付きを防止できるところの構造が採られる。その構造では、その回転フレームの上下方向のガタ付きには効果があるがその回転フレームは横方向にガタ付きを生じ、また、回転操作力が大きくなる不具合がある。
【特許文献１】特開２００２−１６０５５６
【発明の開示】
【発明が解決しようとする課題】
【０００３】
この発明の課題は、シート回転機構の回転操作時、回転操作力を軽減でき、そのシート回転機構のロック時、上下方向にも横方向にも回転フレームのガタ付きを防止するところのシート回転機構に用いる樹脂スライダーの提供にある。
【課題を解決するための手段】
【０００４】
この発明は、円弧状パッド・ボディおよびそのパッド・ボディの下端に一体的に連続されてそのパッド・ボディのパッド面上に折り返されるＵ字形フランジかみ付き曲りから全体的に断面Ｊ字形に成形され、そのパッド・ボディが、そのパッド面の両側にテーパー付けで肉取りされて作られる左右のフランジ逃げ面と、裏面の両側に突き出される左右のフランジ当りと、上端に突き出されるトップ・フランジ当りと、その上端から下方に適宜に位置され、左右方向に伸び、そのパッド面からその裏面に通して穴明けされて肉抜きするスロットとを備える。
【発明の効果】
【０００５】
この発明では、そのパッド・ボディがその左右のフランジ逃げ面およびその左右のフランジ当りで横方向にばね性が付与され、そして、そのスロットで上下方向にもばね性が付与され、シート回転機構の回転操作時、回転操作力が軽減されて回転フレームが円滑に回転され、また、そのシート回転機構のロック時、スライダー全体の締付けによってその回転フレームのガタ付きが防止される。
【発明を実施するための最良の形態】
【０００６】
円弧状パッド・ボディが左右のフランジ逃げ面、左右のフランジ当り、トップ・フランジ当り、およびスロットを備え、そして、下端にＵ字形フランジかみ付き曲りを一体的に連続させるところの全体的に断面Ｊ字形で樹脂から成形される。
【実施例１】
【０００７】
以下、特定されて図示された具体例に基づいて、この発明のシート回転機構に用いる樹脂スライダーを説明するに、図１ないし図４は、レクリエーショナル・ビーグルにおいてセカンド・シート（図示せず）のシート回転機構３０に活用されるところのこの発明のシート回転機構に用いる樹脂スライダーの具体例１０を示し、そして、そのシート回転機構３０は、そのセカンド・シートとシート・トラック（図示せず）との間に組み込まれてそのセカンド・シートに活用される。具体的には、そのシート回転機構３０は、左右のシート・ライザー（図示せず）がそのシート・トラック上に支持され、また、固定フレーム３１がその左右のシート・ライザーのトップ間に渡され、そして、複数のボルト−ナットでその左右のシート・ライザーのそのトップ上に締め付けられて固定的に支持され、さらに、固定フレーム３２が組付けプレート３３を用いてその固定フレーム３１上に多数のスチール・ボール３８を挟み、そして、等間隔でその固定フレーム３１とその組付けプレート３３との間にその樹脂スライダーに１０を４箇挟んでその固定フレーム３１に回転可能に支持され、そして、そのセカンド・シートを固定的に支持する。勿論、その多数のスチール・ボール３８はリテイナで保持されている。
【０００８】
その固定フレーム３１は、プレスで大きな円形窓３５を抜き、外周縁に下向きの環状組付けフランジ３６を連続的に折り返して曲げて成形され、さらに、プレスでその折返し箇所の上面３４に環状にボール溝３７を開口させてそのボール溝３７にその多数のスチール・ボール３８をはめ込み可能にする。
【０００９】
その回転フレーム３２は、その固定フレーム３１のその円形窓３５にセンター合わせされた大きな円形窓４０をプレスで抜き、そしてさらに、その固定フレーム３１のそのボール溝３７に向かい合うようにプレスで下面３９に環状のボール溝４１を開口させ、そして、そのボール溝４１とその固定フレーム３１のその円形窓３７との間にその多数のスチール・ボール３８を挟み込み可能にする。また、その組付けプレート３３は、その回転フレーム３２のその円形窓４０にセンター合わせされた大きな円形窓４２をプレスで抜き、そしてさらに、プレスでその円形窓４２の開口縁に環状フランジ・ポケット４３を連続的に折り返して曲げて成形され、そして、その環状フランジ・ポケット４３にその固定フレーム３１のその下向き環状組付けフランジ３６をはめ込んでその固定フレーム３１にその回転フレーム３２を回転可能に組み付け可能にする。その環状フランジ・ポケット４３は、上方に開口されて上向きの環状組付けフランジ４４で限定された環状袋に折り返し曲げされてその固定フレーム３１のその下向き環状組付けフランジ３６をはめ込み可能にする。その環状フランジ・ポケット４３は、その樹脂スライダー１０の組付け状態でその下向きの環状組付けフランジ３６をはめ込む。その回転フレーム３２は、また、操作レバー４５で解除されて回転可能にされる。
【００１０】
その樹脂スライダー１０は、円弧状パッド・ボディ１１およびそのパッド・ボディ１１の下端に一体的に連続されてそのパッド・ボディ１１のパッド面１３上に折り返されるＵ字形フランジかみ付き曲り１２から全体的に断面Ｊ字形に設計されて樹脂から成形され、そして、そのパッド・ボディ１１が、そのパッド面１３の両側にテーパー付けで肉取りされて作られる左右のフランジ逃げ面１６、１６と、裏面１４の両側に突き出される左右のフランジ当り１７、１７と、上端１５に突き出されるトップ・フランジ当り１８と、その上端１５から下方に適宜に位置され、左右方向に伸び、そのパッド面１３からその裏面１４に通して穴明けされて肉抜きするスロット１９とを備え、そして、ばね性が、その左右のフランジ逃げ面１６、１６、その左右のフランジ当り１７、１７、およびそのスロット１９でそのパッド・ボディ１１に横方向にも上下方向にも付与される。
【００１１】
具体的には、そのパッド・ボディ１１は、その左右のフランジ逃げ面１６、１６およびその左右のフランジ当り１７、１７でその横方向にばね性が付与され、そして、そのスロット１９で上下方向にもばね性が付与される。勿論、その横方向は、そのパッド面１３に直交する方向である。
【００１２】
そのＵ字形フランジかみ付き曲り１２は、内側面２０に突き出される左右のフランジかみ付き歯２１、２１を備える。
【００１３】
したがって、この樹脂スライダー１０は、予めそのＵ字形フランジかみ付き曲り１２にその固定フレーム３１のその下向きの環状組付けフランジ３６の下端を挟ませてその左右のフランジかみ付き歯２１、２１でその下向きの環状組付けフランジ３６に固定的に組み付けられ、そして、その下向きの環状組付けフランジ３６と一緒にその組付けプレート３３のその環状フランジ・ポケット４３にはめ込まれ、そして、その固定フレーム３１および組付けプレート３３は、その下向きの環状組付けフランジ３６とその環状フランジ・ポケット４３とのはめ合い結合によって互いに組み合わせられる。その回転フレーム３２は、そのボール溝４１とその固定フレーム３１のそのボール溝３７との間にその多数のスチール・ボール３８を挟み、そして、複数のボルト−ナットでその組付けプレート３３を締め付けてその固定フレーム３１に回転可能に支持される。
【００１４】
そのシート回転機構３０の方向転換時、その樹脂スライダー１−はその左右のフランジ当り１７、１７およびそのトップ・フランジ当り１８によってその下向きの環状組付けフランジ３６とその上向きの環状組付けフランジ４４との間の隙間を無くしてそのシート回転機構３０に回転操作力を軽減させて円滑な回転性を確保する。すなわち、その樹脂スライダー１０は、その左右のフランジ逃げ面１６、１６およびそのスロット１９でそのパッド・ボディ１１に横方向にも上下方向にもばね性が付与されているので、その方向転換時、そのシート回転機構３０には回転操作力が軽減されて円滑に回転される。また、そのシート回転機構３０のロック時、その樹脂スライダー１０は、その回転フレーム３２によってその環状フランジ・ポケット４３内に弾性的にたわんで押し潰され、その下向きの環状組付けフランジ３６とその環状フランジ・ポケット４３−その上向きの環状組付けフランジ４との間に隙間を無くしてその回転フレーム３２は横方向にも上下方向にもガタ付きが確実に防止される。すなわち、そのパッド・ボディ１１はその付与されたばね性によって弾性的たわみが可能になって下向きの環状組付けフランジ３６とその環状フランジ・ポケット４３−その上向きの環状組付けフランジ４４との間の隙間を十分に吸収できるので、その樹脂スライダー１０は、その回転フレーム３２の横方向ガタ付きおよび上下方向ガタ付きを確実に防止する。
【００１５】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１６】
上述から理解されるように、この発明のシート回転機構に用いる樹脂スライダーは、円弧状パッド・ボディおよびそのパッド・ボディの下端に一体的に連続されてそのパッド・ボディのパッド面上に折り返されるＵ字形フランジかみ付き曲りから全体的に断面Ｊ字形に成形され、そのパッド・ボディが、そのパッド面の両側にテーパー付けで肉取りされて作られる左右のフランジ逃げ面と、裏面の両側に突き出される左右のフランジ当りと、上端に突き出されるトップ・フランジ当りと、その上端から下方に適宜に位置され、左右方向に伸び、そのパッド面からその裏面に通して穴明けされて肉抜きするスロットとを備え、そして、ばね性がそのパッド面に直交する方向にも上下方向にも付与されるので、この発明のシート回転機構に用いる樹脂スライダーでは、シート回転機構の方向転換時、回転操作力が軽減され、回転フレームが円滑に回転されてそのシート回転機構に円滑な回転性が確保され、また、そのシート回転機構のロック時、固定フレームと組付けプレートとの間に生じる隙間が吸収されて上下方向にも横方向にもガタ付きが防止され、その結果、乗り物の回転シートにとって非常に有用で実用的である。
【図面の簡単な説明】
【００１７】
【図１】この発明のシート回転機構に用いる樹脂スライダーの具体例を活用するところのレクリエーショナル・ビークルのセカンド・シートのシート回転機構を示した斜視図である。
【図２】図１の２−２線に沿って示した断面図である。
【図３】その樹脂スライダーを示した斜視図である。
【図４】その樹脂スライダーを部分的には示した平面図である。
【符号の説明】
【００１８】
１１  円弧状パッド・ボディ１１
１２  Ｕ字形フランジかみ付き曲り
１３  パッド面
１４  裏面
１５  上端
１６  フランジ逃げ面
１７  フランジ当り
１８  トップ・フランジ当り
１９  スロット
２０  内側面
２１  フランジかみ付き歯
【図１】
2005067330.tif 000003
【図２】
2005067330.tif 000004
【図３】
2005067330.tif 000005
【図４】
2005067330.tif 000006